(57)【要約】      （修正有）【課題】アンテナが良好な受信機能を有するランプ組立体及びそれを使用するランプを提供する。【解決手段】ランプ組立体は、第１の表面、第２の表面、及び複数の光源２１１を有し、第１の表面が第２の表面に対向し、且つ光源が第１の表面に設けられる光源基板２１０と、アンテナ２２１ａを有する伝送モジュール２２１が設けられ、光源基板に電気的に接続される回路板２２０と、光源をカバーし、外面、内面及び貫通孔を有し、内面が外面に対向し、且つ貫通孔２３０ｃが内面から外面へ延伸し、アンテナが貫通孔を貫通し、且つ外面外側へ突出するランプカバー２３０と、を主に含む。【選択図】図３
0003216685.tif 000002
【実用新案登録請求の範囲】
【請求項１】
第１の表面、第２の表面、及び複数の光源を有し、前記第１の表面が前記第２の表面に対向し、且つ前記光源が前記第１の表面に設けられる光源基板と、
アンテナを有する伝送モジュールが設けられ、前記光源基板に電気的に接続される回路板と、
前記光源をカバーし、外面、内面及び貫通孔を有し、前記内面が前記外面に対向し、且つ前記貫通孔が前記内面から前記外面へ延伸し、前記アンテナが前記貫通孔を貫通し、且つ前記外面外側へ突出するランプカバーと、
を含むランプ組立体。
【請求項２】
前記回路板が前記光源基板の前記第２の表面に設けられ、且つ前記アンテナが前記光源基板の前記第２の表面から前記第１の表面を貫通し、前記第１の表面から突出する請求項１に記載のランプ組立体。
【請求項３】
前記ランプカバーは、前記光源に対応するように前記ランプカバーの前記内面に設けられる複数のレンズを更に含む請求項１に記載のランプ組立体。
【請求項４】
前記ランプカバーの前記外面に設けられ、前記アンテナの位置を制限するように配置されるアンテナ固定部材を更に含む請求項１に記載のランプ組立体。
【請求項５】
前記アンテナ固定部材は、
前記ランプカバーの前記外面に平行であり、且つ前記アンテナを収納するように配置される収納槽を有する延伸部と、
前記延伸部に垂直となり、且つ前記ランプカバーの位置決め穴に挿入される位置決め柱と、
を含む請求項４に記載のランプ組立体。
【請求項６】
前記ランプカバーは、前記貫通孔の中に設けられ、且つ前記アンテナの前記貫通孔の中に位置する一部を覆う密封部材を有する請求項１に記載のランプ組立体。
【請求項７】
前記伝送モジュールは、ブルートゥースモジュール、ジグビーモジュール又はワイファイモジュールである請求項１に記載のランプ組立体。
【請求項８】
取付空間を有するランプカップと、
前記取付空間に設けられ、第１の表面、第２の表面、及び複数の光源を有し、前記第１の表面が前記第２の表面に対向し、且つ前記光源が前記第１の表面に設けられる光源基板と、
アンテナを有する伝送モジュールが設けられ、また、前記取付空間に設けられ、且つ前記光源基板に電気的に接続される回路板と、
前記ランプカップのトップに設けられ、且つ前記取付空間をカバーし、外面、内面及び貫通孔を有し、前記内面が前記外面に対向し、且つ前記貫通孔が前記内面から前記外面へ延伸し、前記アンテナが前記貫通孔を貫通し、且つランプカバーの前記外面外側へ突出するランプカバーと、
を含むランプ組立体と、
を備えるランプ。
【請求項９】
前記回路板は、前記光源基板の前記第２の表面に設けられ、且つ前記アンテナが前記光源基板の前記第２の表面から前記第１の表面を貫通し、前記第１の表面から突出する請求項８に記載のランプ。
【請求項１０】
前記ランプカバーは、前記光源に対応するように前記ランプカバーの前記内面に設けられる複数のレンズを更に含む請求項８に記載のランプ。
【請求項１１】
前記ランプ組立体は、前記ランプカバーの前記外面に設けられ、且つ前記アンテナの位置を制限するように配置されるアンテナ固定部材を更に含む請求項８に記載のランプ。
【請求項１２】
前記アンテナ固定部材は、
前記ランプカバーの前記外面に平行であり、且つ前記アンテナを収納するように配置される収納槽を有する延伸部と、
前記延伸部に垂直となり、且つ前記ランプカバーの位置決め穴に挿入される位置決め柱と、
を含む請求項１１に記載のランプ。
【請求項１３】
前記ランプカバーは、前記貫通孔の中に設けられ、且つ前記アンテナの前記貫通孔の中に位置する一部を覆う密封部材を有する請求項８に記載のランプ。
【請求項１４】
前記伝送モジュールは、ブルートゥースモジュール、ジグビーモジュール又はワイファイモジュールである請求項８に記載のランプ。
【請求項１５】
前記回路板に電気的に接続されるように前記ランプカップのボトムに設けられるランプヘッドを更に含む請求項８に記載のランプ。
【考案の詳細な説明】
【技術分野】
【０００１】
本考案は、ランプ組立体及びその適用に関し、特に、アンテナをランプカバー外側へ延伸させるランプ組立体及びそれを使用するランプに関する。
【背景技術】
【０００２】
科学技術の発展につれて、スマートランプは、現在のランプの開発の傾向になっている。現在、ランプをリモートコントロールする目的を達成するためにユーザーの送信した外部制御信号を受信可能なスマートランプがある。
【考案の概要】
【考案が解決しようとする課題】
【０００３】
しかしながら、一般的に、外部制御信号を受信するためのアンテナは、通常、ランプの内部に設けられる。更に、放熱の目的を達成するために、よく見られるランプでは金属材料でシェルを作るが、金属シェルがアンテナを遮蔽しやすいので、アンテナの受信機能に重大な影響を及ぼす。
【課題を解決するための手段】
【０００４】
従って、本考案の一目的は、アンテナが良好な受送信機能を有するランプ組立体及びランプを提供することにある。
【０００５】
本考案の上記目的によれば、第１の表面、第２の表面、及び複数の光源を有し、第１の表面が第２の表面に対向し、且つ光源が第１の表面に設けられる光源基板と、アンテナを有する伝送モジュールが設けられ、光源基板に電気的に接続される回路板と、光源をカバーし、外面、内面及び貫通孔を有し、内面が外面に対向し、且つ貫通孔が内面から外面へ延伸し、アンテナが貫通孔を貫通し、且つ外面外側へ突出するランプカバーと、を主に含むランプ組立体を提出する。
【０００６】
本考案の上記目的によれば、取付空間を有するランプカップと、取付空間に設けられ、第１の表面、第２の表面、及び複数の光源を有し、第１の表面が第２の表面に対向し、且つ光源が第１の表面に設けられる光源基板と、アンテナを有する伝送モジュールが設けられ、また、取付空間に設けられ、且つ光源基板に電気的に接続される回路板と、ランプカップのトップに設けられ且つ取付空間をカバーし、外面、内面及び貫通孔を有し、内面が外面に対向し、且つ貫通孔が内面から外面へ延伸し、アンテナが貫通孔を貫通し、且つランプカバーの外面外側へ突出するランプカバーと、を含むランプ組立体と、を主に含むランプを別に提出する。
【０００７】
本考案の一実施例によれば、前記回路板が光源基板の第２の表面に設けられ、且つアンテナが光源基板の第２の表面から第１の表面を貫通し、第１の表面から突出する。
【０００８】
本考案の別の実施例によれば、前記ランプカバーは、光源に対応するようにランプカバーの内面に設けられる複数のレンズを更に含む。
【０００９】
本考案のまた１つの実施例によれば、前記ランプ組立体は、ランプカバーの外面に設けられ、アンテナの位置を制限するように配置されるアンテナ固定部材を更に含む。
【００１０】
本考案の更に１つの実施例によれば、前記アンテナ固定部材は、ランプカバーの外面に平行であり、且つアンテナを収納するように配置される収納槽を有する延伸部と、延伸部に垂直となり、且つランプカバーの位置決め穴に挿入される位置決め柱と、を含む。
【００１１】
本考案の更に１つの実施例によれば、前記ランプカバーは、前記貫通孔の中に設けられ、且つ前記アンテナの前記貫通孔の中に位置する一部を覆う密封部材を有する。
本考案の更に１つの実施例によれば、前記伝送モジュールは、ブルートゥース（登録商標）モジュール、ジグビーモジュール（ＺｉｇＢｅｅモジュール）又はワイファイモジュール（ＷｉＦｉモジュール）である。
【００１２】
本考案の更に１つの実施例によれば、前記ランプは、回路板に電気的に接続されるように、ランプカップのボトムに設けられるランプヘッドを更に含む。
【考案の効果】
【００１３】
上記から分かるように、本考案は、主にランプの信号を受送信するアンテナをランプ外部へ延伸させることで、従来のランプのアンテナがランプカップ等の金属シェルに遮蔽される問題を改善し、更にアンテナの伝送距離及び伝送効果を向上させる。また、本考案は、アンテナ固定部材によってアンテナの位置を制限して、引かれるアンテナがランプ全体の形を影響しないようにする。
【図面の簡単な説明】
【００１４】
実施例及びその利点を完全に理解させるために、以下、添付図面を参照して説明する。
【図１】本考案の一実施形態によるランプを示す斜視模式図である。
【図２】本考案の一実施形態によるランプを示す分解模式図である。
【図３】本考案の一実施形態によるランプを示す別の分解模式図である。
【図４】図１のＡ−Ａ断面線に沿って切るランプ断面を示す模式図である。
【図５】図１のＢ−Ｂ断面線に沿って切るランプ断面を示す模式図である。
【考案を実施するための形態】
【００１５】
以下の実施形態で言及される「上」、「下」、「内」、「外」、「トップ」、「ボトム」等の方向性の用語は、単に添付図面を参照したものに過ぎない。従って、使用される方向性の用語は、例示的なものだけであり、本考案を限定するものではない。
【００１６】
まず、図１及び図２を参照されたい。図１は、本考案の一実施形態によるランプを示す斜視模式図である。図２は、本考案の一実施形態によるランプを示す分解模式図である。本実施例において、ランプ１００は、主に、ランプ組立体２００と、ランプカップ１１０と、ランプヘッド１２０と、を含む。ランプカップ１１０は、取付空間１１１を有する。一例において、ランプカップ１１０は、良好な放熱効果を有する金属ランプカップである。
【００１７】
ランプ組立体２００は、主に光源基板２１０、回路板２２０及びランプカバー２３０を含む。光源基板２１０と回路板２２０は、ランプカップ１１０の取付空間１１１の中に設けられる。光源基板２１０は、複数の光源２１１を有する。一実施例において、光源基板２１０は、アルミニウム基板であってもよく、且つ光源２１１は、発光ダイオードであってもよい。回路板２２０は、光源２１１の動作を制御できるように、光源基板２１０に電気的に接続される。図１及び図２に示すように、ランプカバー２３０は、取付空間１１１をカバーするようにランプカップ１１０のトップに設けられる。ランプヘッド１２０は、回路板２２０に電気的に接続されるように、ランプカップ１１０のボトムに設けられる。ランプヘッド１２０は、回路板２２０に電力を供給するように、主にランプホルダーに挿入される。本実施例において、ランプヘッド１２０は、プラグイン型の設計であるが、本考案を制限するものではない。他の実施例において、ランプヘッド１２０は、ネジ型のランプヘッドであってもよい。
【００１８】
図２及び図３を同時に参照されたい。図３は、本考案の一実施形態によるランプを示す別の分解模式図である。本実施例において、回路板２２０に、ランプカバー２３０の外側へ延伸するアンテナ２２１ａを有する伝送モジュール２２１が設けられる。伝送モジュール２２１は、主にアンテナ２２１ａによって外部からの制御信号又は他の信号を伝送又は受信し、更に回路板２２０によって光源２１１の動作を制御する。ある実施例において、伝送モジュール２２１は、ブルートゥースモジュール、ＺｉｇＢｅｅモジュール又はＷｉＦｉモジュールであってもよい。
【００１９】
図２及び図３に示すように、光源基板２１０は、第１の表面２１０ａ、第２の表面２１０ｂ及び貫通孔２１０ｃを有する。第１の表面２１０ａは、第２の表面２１０ｂに対向し、且つ貫通孔２１０ｃが第１の表面２１０ａから第２の表面２１０ｂへ延伸する。本実施例において、光源２１１が第１の表面２１０ａに設けられ、回路板２２０が光源基板２１０の第２の表面２１０ｂに設けられる。本実施例において、回路板２２０に設けられる伝送モジュール２２１のアンテナ２２１ａは、第２の表面２１０ｂを貫通して貫通孔２１０ｃを介して第１の表面２１０ａから延出する。また、ランプカバー２３０は、外面２３０ａ、内面２３０ｂ及び貫通孔２３０ｃを有する。外面２３０ａは内面２３０ｂに対向し、且つ内面２３０ｂに、光源２１１に対応して複数のレンズ２３１が光源２１１のライト形状を変えることができるように設けられる。貫通孔２３０ｃは、外面２３０ａから内面２３０ｂへ延伸する。本実施例において、第１の表面２１０ａから延出するアンテナ２２１ａは、ランプカバー２３０の内面２３０ｂを貫通して貫通孔２３０ｃを介して外面２３０ａから延出する。
【００２０】
図４を併せて参照されたい。図１のＡ−Ａ断面線に沿って切るランプ断面を示す模式図である。本実施例の回路板２２０と伝送モジュール２２１は、何れもランプカップ１１０の取付空間１１１の中に設けられるが、伝送モジュール２２１のアンテナ２２１ａは、光源基板２１０及びランプカバー２３０を直接貫通し、ランプカバー２３０の外側へ延伸するので、アンテナ２２１ａの信号がランプカップ１１０によって遮蔽されることがないため、良好な通信効果及び長い通信距離がある。
【００２１】
注意すべきなのは、本実施例の回路板２２０と伝送モジュール２２１が光源基板２１０の第２の表面２１０ｂに設けられるので、伝送モジュール２２１のアンテナ２２１ａは、まず光源基板２１０を貫通してから、ランプカバー２３０を貫通しランプカバー２３０の外へ延伸する。他の実施例において、回路板２２０が直接光源基板２１０の第１の表面２１０ａに設けられてもよく、又は光源基板２１０と単一のチップに統合してもよいため、伝送モジュール２２１のアンテナ２２１ａは、光源基板２１０を貫通しなくても、ランプカバー２３０を直接貫通してランプカバー２３０の外へ延伸して、同じ目的が達成できる。
【００２２】
図４に示すように、ある実施例において、ランプカバー２３０は、密封部材２３２を有する。密封部材２３２は、アンテナ２２１ａの貫通孔２３０ｃに位置する一部を覆うように、貫通孔２３０ｃの中に設けられる。ある例において、密封部材２３２は、接着剤注入によって形成された防湿密封部材であってもよい。密封部材２３２は、水気又は埃が貫通孔２３０ｃからランプ１００の内部に入ることを避けることができる。
【００２３】
図２及び図５を同時に参照されたい。図５は、図１のＢ−Ｂ断面線に沿って切るランプ断面を示す模式図である。ある実施例において、ランプ組立体２００は、アンテナ固定部材２４０を更に含む。アンテナ固定部材２４０は、主にランプカバー２３０の外側へ延伸するアンテナ２２１ａの位置を制限するように配置される。図２及び図５に示すように、アンテナ固定部材２４０は、延伸部２４２及び位置決め柱２４３を含む。延伸部２４２は、ランプカバー２３０の外面２３０ａに平行であり、且つアンテナ２２１ａを収納するための収納槽２４１を有する。位置決め柱２４３は、前記延伸部２４２に垂直となる。且つ、位置決め柱２４３は、アンテナ２２１ａの位置をランプカバー２３０の外面２３０ａに制限する目的を達成するように、ランプカバー２３０の位置決め穴２３３に挿入される。他の実施例において、アンテナ固定部材２４０は、例えばテープのようなステッカー部材であってもよく、同様にアンテナ２２１ａの位置をランプカバー２３０の外面２３０ａに制限することができる。ある例において、アンテナ固定部材２４０は、透明材質又は半透明材質であってもよく、或いはアンテナ固定部材２４０の材料又は色がランプカバー２３０の材料又は色と同様であってもよいため、アンテナ固定部材２４０がランプカバー２３０に設けられる場合、ランプ２００全体の照明効果に影響しない。
【００２４】
以下の表１を参照されたい。表１は、３種類の異なるタイプのランプに本考案設計を加えない前と本考案設計を加えた後の信号伝送距離のテストデータの比較表である。表１から分かるように、３種類のランプが本考案の設計に変更されると、そのアンテナの伝送距離は何れも大幅に向上する。
【００２５】
【表１】
0003216685.tif 000003
【００２６】
上記本考案の実施形態から分かるように、本考案は、主にランプの信号を受送信するアンテナをランプ外部へ延伸させることで、従来のランプのアンテナがランプカップ等の金属シェルに遮蔽される問題を改善し、更にアンテナの伝送距離及び伝送効果を向上させる。また、本考案は、アンテナ固定部材によってアンテナの位置を制限して、引かれるアンテナがランプ全体の形を影響しないようにする。
【００２７】
本考案の実施形態を前述の通りに開示したが、これは、本考案を限定するものではなく、当業者なら、本考案の精神と範囲から逸脱しない限り、多様の変更や修正を加えることができ、従って、本考案の保護範囲は、後の実用新案登録請求の範囲で指定した内容を基準とする。
【符号の説明】
【００２８】
１００  ランプ
１１０  ランプカップ
１１１  取付空間
１２０  ランプヘッド
２００  ランプ組立体
２１０  光源基板
２１０ａ  第１の表面
２１０ｂ  第２の表面
２１０ｃ  貫通孔
２１１  光源
２２０  回路板
２２１  伝送モジュール
２２１ａ  アンテナ
２３０  ランプカバー
２３０ａ  外面
２３０ｂ  内面
２３０ｃ  貫通孔
２３１  レンズ
２３２  密封部材
２３３  位置決め穴
２４０  アンテナ固定部材
２４１  収納槽
２４２  延伸部
２４３  位置決め柱
【図１】
0003216685.tif 000004
【図２】
0003216685.tif 000005
【図３】
0003216685.tif 000006
【図４】
0003216685.tif 000007
【図５】
0003216685.tif 000008